(57)【特許請求の範囲】
【請求項１】
電気部品に繋がる配線のコネクタが接続されるコネクタ接続部が実装された接続基板を、基板設置部に着脱可能に配設するよう構成された遊技機において、
前記接続基板における前記コネクタ接続部の実装面を被覆する被覆部材と、
前記被覆部材において前記接続基板の外周端縁側に位置する外側面に形成された係合凹部と、
前記基板設置部に設けられ、前記係合凹部に係合して被覆部材の取付位置からの離脱を規制する係合位置および該係合凹部から外れて取付位置からの前記被覆部材の離脱を許容する退避位置に変位可能な係合部とを備え、
前記被覆部材は、前記係合凹部が形成された外側面から前記実装面に対向する対向面部に亘って前記係合凹部が連続して開口するよう形成され、
前記対向面部より前記実装面側で前記係合部が前記係合凹部に係合するよう構成され、
前記被覆部材において前記係合凹部が形成された外側面が前記接続基板の外周端縁に対向して当該外周端縁を被覆すると共に、当該係合凹部が形成された外側面で被覆される外周端縁を除いた別の外周端縁に沿うように前記コネクタ接続部が実装され、
前記係合部は、前記係合位置において前記係合凹部が形成された外側面に隣接して対向する支持部と、当該支持部から係合凹部の内側に突出して当該係合凹部に係合する係合突部とを備え、前記係合凹部を形成する凹部内壁が前記係合突部を挟んで対向するよう構成された
ことを特徴とする遊技機。
【請求項２】
電気部品に繋がる配線のコネクタが接続されるコネクタ接続部が実装された接続基板を、基板設置部に着脱可能に配設するよう構成された遊技機において、
前記接続基板における前記コネクタ接続部の実装面を被覆する被覆部材と、
前記被覆部材において前記接続基板の外周端縁側に位置する外側面に形成された係合凹部と、
前記基板設置部に設けられ、前記係合凹部に係合して被覆部材の取付位置からの離脱を規制する係合位置および該係合凹部から外れて取付位置からの前記被覆部材の離脱を許容する退避位置に変位可能な係合部とを備え、
前記被覆部材は、前記係合凹部が形成された外側面から前記実装面に対向する対向面部に亘って前記係合凹部が連続して開口するよう形成され、
前記対向面部より前記実装面側で前記係合部が前記係合凹部に係合するよう構成され、
前記接続基板には、前記コネクタ接続部が実装される実装領域よりも基板中央側に、当該コネクタ接続部よりも高さ寸法のある電子部品を実装する実装領域が設けられ、
前記対向面部は、前記コネクタ接続部を外側に臨ませる開口部が形成された第１対向面部と、当該第１対向面部よりも前記接続基板から離間するよう位置して前記電子部品の実装領域を被覆する第２対向面部とを有し、
前記係合凹部が形成された外側面と前記第２対向面部とが連続するよう形成されて、当該係合凹部が形成された外側面から第２対向面部に亘って前記係合凹部が連続して開口するよう形成され、
前記実装面に対して前記コネクタ接続部の高さ寸法より離間した位置において、前記係合部が前記係合凹部に係合するよう構成された
ことを特徴とする遊技機。
【発明の詳細な説明】
【技術分野】
【０００１】
本発明は、配線のコネクタが接続される接続基板を備えた遊技機に関するものである。
【背景技術】
【０００２】
遊技機の代表例の一つとしてのパチンコ機には、固定枠に開閉自在に組み付けられた本体枠に、パチンコ球が流下可能な遊技領域が前面側に形成された遊技盤が着脱自在に配設されている。遊技盤の後側には、遊技領域に設けられた入賞口へのパチンコ球の入賞に基づいて制御を実行する制御装置や、該制御装置の制御に応じて表示画面に図柄を表示する図柄表示装置が着脱自在に配設されると共に、基板設置部に配設された接続基板を介して制御装置等が電気的に中継接続されている(例えば、特許文献１)。
【先行技術文献】
【特許文献】
【０００３】
【特許文献１】特開２０１０−２２７４２４号公報
【発明の概要】
【発明が解決しようとする課題】
【０００４】
ところで、特許文献１では、基板設置部に設けられた係合フックを接続基板の縁部に係合させることで基板設置部に接続基板が固定される。このように、係合フックを接続基板に直接的に係合させて接続基板を基板設置部に取り付ける構成では、制御装置等が接続されるコネクタ接続部が設けられている接続基板の基板面(実装面)に対して係合フックの係合爪を係合させていることから、接続基板の周囲に取り回される配線(コネクタ接続部に接続された配線や、当該接続基板に直接接続されない他の配線)が係合フックと接続基板との間に挟み込まれてしまい、配線の断線や、係合不良による接続基板の脱落等の不具合が生じる虞がある。
【０００５】
そこで本発明は、従来の技術に内在する前記問題に鑑み、これらを好適に解決するべく提案されたものであって、基板設置部に接続基板を好適に配設可能な遊技機を提供することを目的とする。
【課題を解決するための手段】
【０００６】
前記課題を克服し、所期の目的を達成するため、本願請求項１に係る発明は、
電気部品(200,SE3〜SE6,SL1〜SL3,SN1〜SN3)に繋がる配線のコネクタが接続されるコネクタ接続部(61)が実装された接続基板(51)を、基板設置部(50)に着脱可能に配設するよう構成された遊技機において、
前記接続基板(51)における前記コネクタ接続部(61)の実装面(51a)を被覆する被覆部材(80)と、
前記被覆部材(80)において前記接続基板(51)の外周端縁側に位置する外側面(110)に形成された係合凹部(101)と、
前記基板設置部(50)に設けられ、前記係合凹部(101)に係合して被覆部材(80)の取付位置からの離脱を規制する係合位置および該係合凹部(101)から外れて取付位置からの前記被覆部材(80)の離脱を許容する退避位置に変位可能な係合部(55)とを備え、
前記被覆部材(80)は、前記係合凹部(101)が形成された外側面(110)から前記実装面(51a)に対向する対向面部(93,94a)に亘って前記係合凹部(101)が連続して開口するよう形成され、
前記対向面部(93,94a)より前記実装面(51a)側で前記係合部(55)が前記係合凹部(101)に係合するよう構成され、
前記被覆部材(80)において前記係合凹部(101)が形成された外側面(110)が前記接続基板(51)の外周端縁に対向して当該外周端縁を被覆すると共に、当該係合凹部(101)が形成された外側面(110)で被覆される外周端縁を除いた別の外周端縁に沿うように前記コネクタ接続部(61)が実装され、
前記係合部(55)は、前記係合位置において前記係合凹部(101)が形成された外側面(110)に隣接して対向する支持部(55a)と、当該支持部(55a)から係合凹部(101)の内側に突出して当該係合凹部(101)に係合する係合突部(55b)とを備え、前記係合凹部(101)を形成する凹部内壁(101b)が前記係合突部(55b)を挟んで対向するよう構成されたことを要旨とする。
請求項１に係る発明によれば、被覆部材の外側面に係合凹部を形成して、対向面部より実装面側で係合部を係合凹部に係合させることで、接続基板の周囲に取り回される配線が係合部に挟み込まれることによる配線の断線や係合不良による接続基板の脱落等の不具合を防止し得る。また、接続基板および被覆部材を基板設置部から取り外す際に、対向面部に開口する係合凹部に係合する係合部を容易に操作し得る。
また、基板設置部において接続基板の配設位置と係合部とを近接させることができ、基板設置部の省スペース化を図ることができる。また、接続基板のコネクタ接続部に接続される配線を係合部および係合凹部の係合位置から離間させることができるから、接続基板のコネクタ接続部に接続する配線が係合部に引っ掛かり難い構成とすることができる。
【０００８】
前記課題を克服し、所期の目的を達成するため、本願請求項２に係る発明は、
電気部品(200,SE3〜SE6,SL1〜SL3,SN1〜SN3)に繋がる配線のコネクタが接続されるコネクタ接続部(61)が実装された接続基板(51)を、基板設置部(50)に着脱可能に配設するよう構成された遊技機において、
前記接続基板(51)における前記コネクタ接続部(61)の実装面(51a)を被覆する被覆部材(80)と、
前記被覆部材(80)において前記接続基板(51)の外周端縁側に位置する外側面(110)に形成された係合凹部(101)と、
前記基板設置部(50)に設けられ、前記係合凹部(101)に係合して被覆部材(80)の取付位置からの離脱を規制する係合位置および該係合凹部(101)から外れて取付位置からの前記被覆部材(80)の離脱を許容する退避位置に変位可能な係合部(55)とを備え、
前記被覆部材(80)は、前記係合凹部(101)が形成された外側面(110)から前記実装面(51a)に対向する対向面部(93,94a)に亘って前記係合凹部(101)が連続して開口するよう形成され、
前記対向面部(93,94a)より前記実装面(51a)側で前記係合部(55)が前記係合凹部(101)に係合するよう構成され、
前記接続基板(51)には、前記コネクタ接続部(61)が実装される実装領域(65)よりも基板中央側に、当該コネクタ接続部(61)よりも高さ寸法のある電子部品(63a)を実装する実装領域(66)が設けられ、
前記対向面部(93,94a)は、前記コネクタ接続部(61)を外側に臨ませる開口部(90L,90R,90U)が形成された第１対向面部(93)と、当該第１対向面部(93)よりも前記接続基板(51)から離間するよう位置して前記電子部品(63a)の実装領域(65)を被覆する第２対向面部(94a)とを有し、
前記係合凹部(101)が形成された外側面(110)と前記第２対向面部(94a)とが連続するよう形成されて、当該係合凹部(101)が形成された外側面(110)から第２対向面部(94a)に亘って前記係合凹部(101)が連続して開口するよう形成され、
前記実装面(51a)に対して前記コネクタ接続部(61)の高さ寸法より離間した位置において、前記係合部(55)が前記係合凹部(101)に係合するよう構成されたことを要旨とする。
請求項２に係る発明によれば、被覆部材の外側面に係合凹部を形成して、対向面部より実装面側で係合部を係合凹部に係合させることで、接続基板の周囲に取り回される配線が係合部に挟み込まれることによる配線の断線や係合不良による接続基板の脱落等の不具合を防止し得る。また、接続基板および被覆部材を基板設置部から取り外す際に、対向面部に開口する係合凹部に係合する係合部を容易に操作し得る。
また、係合凹部が形成された被覆部材の外側面から第２対向面部に亘って連続して開口するよう係合凹部を形成することにより、第２対向面部より実装面側で、かつ実装面に対してコネクタ接続部の高さ寸法より離間した位置で係合部を係合凹部に係合させることができる。すなわち、実装面から離間する第２対向面部を利用して係合凹部を形成することにより、係合部の係合位置を基板設置部から離間させることができるから、接続基板の周囲に取り回される配線が係合部に挟み込まれることによる配線の断線や係合不良による接続基板の脱落等の不具合を防止できると共に、接続基板および被覆部材を基板設置部から取り外す際に、係合部を容易に操作し得る。
【０００９】
本願には、次のような技術的思想が含まれている。
前記係合位置にある前記係合部(55)が前記被覆部材(80)の対向面部(94a)より前記基板設置部(50)側に位置するよう構成されたことを要旨とする。
この構成によれば、遊技機のメンテナンス等において作業者により配線が動かされた場合にも、係合位置にある係合部に対する配線の引っ掛かりを防止し得る。
【００１０】
本願には、次のような技術的思想が含まれている。
前記被覆部材(80)において前記係合凹部(101)が形成された外側面(110)に対して前記接続基板(51)を挟んで反対側に位置する外側面(111)には、前記コネクタ接続部(61)を外側に臨ませるよう形成された開口部(90L,90R,90U)から外れた位置であって前記実装面(51a)より前記基板設置部(50)側に、前記基板設置部(50)に設けられた設置側係合部(54)と係合する被覆側係合部(100)が形成されたことを要旨とする。
この構成によれば、コネクタ接続部に接続された配線を被覆側係合部および設置側係合部の係合位置から離間させることができるから、当該被覆側係合部および設置側係合部の間に配線が挟み込まれるのを防止することができる。従って、被覆側係合部および設置側係合部の係合が意図せず解除されることはない。
【００１１】
本願には、次のような技術的思想が含まれている。
前記被覆部材(80)には、前記被覆側係合部(100)に近接する前記開口部(90U)の開口縁側に壁部(105)が形成されたことを要旨とする。
この構成によれば、設置側係合部および被覆側係合部の係合位置と、コネクタ開口部を通じて被覆部材の外側に臨むコネクタ接続部に接続された配線の取り回し位置とを壁部により区画することができ、設置側係合部および被覆側係合部の間に配線が挟み込まれるのを防止することができる。
【００１２】
本願には、次のような技術的思想が含まれている。
前記被覆部材(80)は、前記実装面(51a)を被覆する第１カバー体(91)と、前記実装面(51a)と反対側の面(51b)を被覆する第２カバー体(81)とを備え、前記接続基板(51)の外周端縁を被覆する外周壁部(96)が、前記第１カバー体(91)または第２カバー体(81)の外周端部から前記接続基板(51)側へ延出するよう設けられたことを要旨とする。
この構成によれば、コネクタ接続部を除く接続基板全体を被覆することができるから、接続基板に対する外部からの不正なアクセスを防止し得る。
【発明の効果】
【００１３】
本発明に係る遊技機によれば、基板設置部に接続基板を好適に配設し得る。
【図面の簡単な説明】
【００１４】
【図１】実施例に係るパチンコ機を示す正面図である。
【図２】実施例に係る遊技盤を示す正面図である。
【図３】実施例に係る基板設置部から被覆部材を取り外した状態で設置部材を背面から視た斜視図である。
【図４】(a)は、設置部材における被覆部材(第１中継接続基板)の取付位置を拡大して示す背面図であり、(b)は、係合凹部と弾性係合部との係合位置の拡大図である。
【図５】(a)は、図４(a)のＡ−Ａ線断面図であり、(b)は、Ｂ−Ｂ線断面図である。
【図６】実施例に係る第１中継接続基板の実装面を示す平面図であって、各コネクタ接続部に接続される電気部品の関係を概略で示してある。
【図７】(a)は、表カバー体の背面部であり、(b)は、表カバー体の正面図である。
【図８】(a)は、被覆部材と第１中継接続基板を分解してパチンコ機の背面側から視た斜視図であり、(b)は、被覆部材と第１中継接続基板を分解してパチンコ機の正面側から視た斜視図である。
【発明を実施するための形態】
【００１５】
次に、本発明に係る遊技機につき、好適な実施例を挙げて、添付図面を参照しながら以下詳細に説明する。なお、遊技機としては、遊技球としてパチンコ球を用いて遊技が行われるパチンコ機を例にして説明する。また、以下の説明において、「前」、「後」、「左」、「右」とは、特に断りのない限り、図１に示すようにパチンコ機１０を前側(遊技者側)から見た状態で指称する。
【実施例】
【００１６】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられている。また、前記中枠１２の前面側には、前記遊技盤２０を透視保護するガラス板や透明な合成樹脂材により形成された透視保護板１８により前後に開口する窓口１３ａを覆うよう構成された前枠１３が開閉可能に組み付けられると共に、該前枠１３の下方にパチンコ球を貯留する下球受け皿１５が開閉可能に組み付けられる。そして、前記遊技盤２０の裏側に、所定条件の成立(後述する始動入賞部２７,２８の始動入賞口へのパチンコ球の入賞)を契機として演出用の図柄を表示面１７ａで変動表示させて図柄変動演出を行う図柄表示装置１７が着脱可能に配設されている。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記上球受け皿１４は、前記前枠１３と別体に形成してもよい。なお、球受け皿１４,１５については、上下２つの球受け皿１４,１５を備えるものに限らず、１つの球受け皿のみを設ける構成であってもよい。
【００１７】
また、前記パチンコ機１０の前面右下部位置には、前記中枠１２に配設された打球発射装置(図示せず)を作動させる操作ハンドル１６が設けられている。前記操作ハンドル１６は、左回転方向に付勢された操作レバー１６ａを備えており、該操作レバー１６ａを右回転させるよう遊技者が回動操作することで打球発射装置が作動されて、前記上球受け皿１４に貯留されたパチンコ球が前記遊技盤２０の遊技領域２２に向けて発射されるようになっている。ここで、前記操作レバー１６ａの回動量に応じて前記打球発射装置によるパチンコ球の打球力が強弱変化するよう構成されており、遊技者が操作レバー１６ａの回動量を調整することで、遊技領域２２に打ち出されたパチンコ球が枠状装飾部材２５の左側を流下する所謂「左打ち」と、当該パチンコ球が枠状装飾部材２５の右側を流下する所謂「右打ち(ゴム打ち)」とを打ち分け得るようになっている。
【００１８】
(遊技盤２０について)
図２に示すように、前記遊技盤２０は、合成樹脂材やベニヤ材等から形成された板状部材(遊技領域形成部材)２１と、該板状部材２１の裏側に配設されると共に各種の遊技部品を備えた設置部材(収容空間画成部材)３０とを備えている。前記板状部材２１は、前面(盤面)に配設された略円形状のレール部材２３によりパチンコ球が流下可能な遊技領域２２が画成されており、前記中枠１２に配設された図示しない打球発射装置から発射されたパチンコ球を遊技領域２２に打ち出すことで遊技が行われるようになっている。そして、前記板状部材２１には、前後に貫通する装着口(図示せず)が適宜位置に開設されており、各装着口に対して各種の遊技盤設置部品(具体的には枠状装飾部材２５、始動入賞部２７,２８、特別入賞部２９,３０、普通入賞部３１、ゲート部３２等)が取り付けられると共に、遊技領域２２の最下部位置にアウト口２４が開設されて、該遊技領域２２に打ち出されたパチンコ球をアウト口から排出させるようになっている。なお、前記装着口の形成数は、遊技盤２０に取り付けられる各種遊技盤設置部品の個数や配設位置等により必要に応じて適宜変更される。
【００１９】
ここで、実施例の前記板状部材２１には、図２に示すように、前記レール部材２３で囲まれた遊技領域２２の略中央で開口する装着口に、前後に開口する表示窓部２５ａが形成されたセンター役とも称される枠状装飾部材２５が取り付けられている。そして、前記枠状装飾部材２５における表示窓部２５ａの開口後方に、図柄表示装置１７の表示面が位置するよう構成されて、当該表示窓部２５ａを介して表示面を遊技盤２０の前面側から視認可能になっている。なお、前記遊技盤２０には、前記遊技領域２２内に多数の遊技釘３５が設けられると共に、前記枠状装飾部材２５の左側方に、遊技領域２２を流下するパチンコ球の接触に伴って回転する所謂「風車」とも称される回転案内部材３６が回転自在に支持されており、遊技領域２２を流下する過程で遊技釘３５や回転案内部材３６に接触したパチンコ球の流下方向を不規則に変化させ得るよう構成されている。
【００２０】
そして、前記遊技盤２０(板状部材２１)における枠状装飾部材２５の周囲に開設された装着口に、遊技領域２２を流下するパチンコ球が入賞可能な入球口を有する入球部２７〜３２が配置されており、遊技領域２２に打ち出されたパチンコ球が入球部２７〜３２に入球することで、入球した入球部２７〜３２に応じた制御条件で遊技が行われるようになっている。具体的に、実施例の遊技盤２０には、始動入賞口を有する始動入賞部(始動入賞手段)２７,２８や、特別入賞口を有する特別入賞部(特別入賞手段)２９,３０、普通入賞口を有する普通入賞部(普通入賞手段)３１、ゲート口を有するゲート部３２が前記入球部として設けられている。
【００２１】
(始動入賞部２７,２８について)
ここで、前記始動入賞部２７,２８は、図２に示すように、始動入賞口が遊技領域２２に常時開口する第１始動入賞部２７と、始動入賞口が開閉部材２８ａにより開閉される第２始動入賞部２８とを備えており、前記枠状装飾部材２５の下方に第１始動入賞部２７が配置され、枠状装飾部材２５の右側方に第２始動入賞部２８が配置されている。ここで、前記第２始動入賞部２８の開閉部材２８ｂを開閉作動する駆動手段としての始動入賞ソレノイドＳＬ１は、遊技盤２０の裏側に配設されたメイン制御基板(第１制御基板)２００に対して電気的に接続されており、当該メイン制御基板２００からの駆動制御信号に基づいて始動入賞ソレノイドＳＬ１(図６参照)が作動されることで、第２始動入賞部２８に対するパチンコ球の入賞確率を可変し得るよう構成される。また、前記第１および第２始動入賞部２７,２８に入賞したパチンコ球は、その排出経路の夫々に設けられた始動入賞検出センサ(検出手段)ＳＥ１,ＳＥ２により検出されるよう構成されている。始動入賞検出センサＳＥ１,ＳＥ２は、前記メイン制御基板２００に電気的に接続されており(図６参照)、該始動入賞検出センサＳＥ１,ＳＥ２からの検出信号がメイン制御基板２００に入力されることを条件として特図当り遊技(当り)を生起させるか否かを判定する特図当り判定(当り判定)が行われると共に、メイン制御基板２００から払出制御基板(第３制御基板)２０２に対して払出制御信号が出力されて、当該払出制御基板２０２の制御下に球払出装置が作動されて所定数(例えば３個)の賞球が前記上下の球受け皿１４,１５に払い出されるよう構成されている。
【００２２】
(特別入賞部２９,３０について)
前記特別入賞部２９,３０は、図２に示すように、特別入賞口が開閉部材２９ａ,３０ａにより開閉されるよう構成されている。なお、実施例では、前記枠状装飾部材２５の右側方に、第１特別入賞部２９および第２特別入賞部３０が上下に隣接して配置されている。ここで、前記第１および第２特別入賞部２９,３０の開閉部材２９ａ,３０ａを開閉作動する駆動手段としての特別入賞ソレノイドＳＬ２,ＳＬ３(図６参照)の夫々は、前記メイン制御基板２００に対して電気的に接続されている。そして、前記特図当り判定の判定結果に応じて、第１特別入賞部２９や第２特別入賞部３０の特別入賞ソレノイドＳＬ２,ＳＬ３がメイン制御基板２００からの駆動制御信号に基づいて駆動制御されて、当該開閉部材２９ａ,３０ａが開閉動作するようになっている。すなわち、実施例のパチンコ機１０は、始動入賞検出センサＳＥ１,ＳＥ２によるパチンコ球の検出を契機として行われる特図当り判定の判定結果が当りの判定である場合に、前記特別入賞部２９,３０の特別入賞口を所定の開閉態様で開放する特図当り遊技(大当り遊技や小当り遊技)が行われて、当該特別入賞口へパチンコ球を入賞させ得る機会が与えられるようになっている。また、前記第１および第２特別入賞部２９,３０に入賞したパチンコ球は、その排出経路の夫々に設けられた特別入賞検出センサ(検出手段)ＳＥ３,ＳＥ４により検出されるよう構成されている。特別入賞検出センサＳＥ３,ＳＥ４は、前記メイン制御基板２００に電気的に接続されており(図６参照)、該特別入賞検出センサＳＥ３,ＳＥ４からの検出信号がメイン制御基板２００に入力されることを条件として、メイン制御基板２００から払出制御基板２０２に対して払出制御信号が出力されて、当該払出制御基板２０２の制御下に球払出装置が作動されて所定数(例えば１５個)の賞球が前記上下の球受け皿１４,１５に払い出されるよう構成されている。
【００２３】
(普通入賞部３１について)
前記普通入賞部３１は、図２に示すように、普通入賞口が遊技領域２２に常時開口するよう構成され、前記遊技領域２２の左右側部にレール部材２３に隣接して配置されている。なお、実施例では、左側の普通入賞部３１に３つの普通入賞口が設けられ、右側の普通入賞部３１に１つの普通入賞口が設けられている。前記左右の普通入賞部３１に入賞したパチンコ球は、その排出経路の夫々に設けられた普通入賞検出センサ(検出手段)ＳＥ５,ＳＥ５により検出されるよう構成されている。普通入賞検出センサＳＥ５,ＳＥ５は、前記メイン制御基板２００に電気的に接続されており(図６参照)、該普通入賞検出センサＳＥ５,ＳＥ５からの検出信号がメイン制御基板２００に入力されることを条件として、メイン制御基板２００から払出制御基板２０２に対して払出制御信号が出力されて、当該払出制御基板２０２の制御下に球払出装置が作動されて所定数(例えば１０個)の賞球が前記上下の球受け皿１４,１５に払い出されるよう構成されている。
【００２４】
(ゲート部３２について)
前記ゲート部３２は、図２に示すように、遊技領域２２内で上下に貫通するよう通過口が形成されると共に、前記枠状装飾部材２５の右側方に第２始動入賞部２８が配置されており、遊技領域２２を流下するパチンコ球がゲート部３２の上方から下方へ通過し得るようになっている。また、ゲート部３２には、当該ゲート部３２(通過口)を通過するパチンコ球を検出するゲートセンサＳＥ６が設けられている。このゲートセンサＳＥ６は、前記メイン制御基板２００に対して電気的に接続されており、該ゲートセンサＳＥ６からの検出信号がメイン制御基板２００に入力されることを条件として、普図当りを生起させるか否かを判定する普図当り判定が行われるようになっている。そして、普図当り判定の判定結果に応じて、前記第２始動入賞部２８の始動入賞ソレノイドＳＬ１がメイン制御基板２００からの駆動制御信号に基づいて駆動制御されて、当該開閉部材２８ａが開閉動作するようになっている。すなわち、実施例のパチンコ機１０は、ゲートセンサＳＥ６によるパチンコ球の検出を契機として行われる普図当り判定の判定結果が当りの判定である場合に、前記第２始動入賞部２８の始動入賞口を所定の開閉態様で開放する普図当り遊技が行われて、当該始動入賞口へパチンコ球を入賞させ得る機会が与えられるようになっている。
【００２５】
ここで、図６に示すように、前記始動入賞検出センサＳＥ１,ＳＥ２の夫々は、当該センサからの配線のコネクタがメイン制御基板２００に対して直接接続されるよう構成されている。一方で、前記特別入賞検出センサＳＥ３,ＳＥ４や普通入賞検出センサＳＥ５、ゲートセンサＳＥ６は、各センサからの配線のコネクタが後述する第１中継接続基板５１に対して接続され、当該第１中継接続基板５１を介してメイン制御基板２００に電気的に接続されるようになっている。同様に、前記始動入賞ソレノイドＳＬ１や特別入賞ソレノイドＳＬ２,ＳＬ３は、各ソレノイドからの配線のコネクタが第１中継接続基板５１に対して接続され、当該第１中継接続基板５１を介してメイン制御基板２００に電気的に接続されるようになっている。また、前記メイン制御基板２００には、前記図柄表示装置１７を制御する演出制御基板２０１が配線接続されており、メイン制御基板２００から入力される制御信号に基づいて演出制御基板２０１が図柄表示装置１７を制御することで、所定の表示演出が実行されるようになっている。
【００２６】
(設置部材４０について)
図３に示すように、前記設置部材４０は、板状部材２１の後面に対向する対向壁部４２と、この対向壁部４２の外周縁から前方に延出して前端部が板状部材２１の後面に当接する外周壁部４３とから前側に開口する箱状に形成され、前記板状部材２１との間に空間を画成するよう構成されている。なお、設置部材４０は、外周壁部４３が板状部材２１の外周縁の近傍に延在するよう設けられて、板状部材２１の後面の略全体を覆うように配設されている。そして、前記設置部材４０(対向壁部４２)の後面側に、前記図柄表示装置１７が着脱可能に配設されると共に、当該設置部材４０の前面側(空間内)に、遊技に合わせて発光により演出を実行する発光演出装置や可動体の動作により演出を実行する可動演出装置等の演出装置や、前記入賞部(始動入賞部２７,２８、特別入賞部２９,３０、普通入賞部３１)に入賞したパチンコ球を遊技盤２０の外部に排出する球通路等が配設されて、当該設置部材４０を１つのユニットとして取り扱い得るよう構成されている。更に、前記設置部材４０には、前記メイン制御基板２００に対して電気的に接続された不正検出センサＳＮ１〜ＳＮ３が取り付けられており、遊技盤２０に向けられる不正行為を不正検出センサＳＮ１〜ＳＮ３で検出し得るよう構成されている。なお、実施例のパチンコ機１０には、不正検出センサとして、電波を検出する電波センサＳＮ１や、磁気を検出する磁気センサＳＮ２、振動を検出する振動センサＳＮ３が設置されており、当該不正検出センサＳＮ１〜ＳＮ３からの検出信号に基づいてメイン制御基板２００が不正検出制御を実行するようになっている。
【００２７】
前記設置部材４０には、図３に示すように、前記対向壁部４２において前記図柄表示装置１７の前面が当接する表示当接面４５に、前後に貫通する表示窓部４０ａが形成されている。ここで、前記設置部材４０(対向壁部４２)の表示窓部４０ａは、前記枠状装飾部材２５の表示窓部２５ａと前後に並ぶ位置に設けられており、前記図柄表示装置１７の表示面１７ａを両表示窓部２５ａ,４０ａを介して遊技盤２０の前側から視認し得るよう構成されている。なお、実施例では、図柄表示装置１７の後面に、前記演出制御基板２０１を基板ケースに収容した演出制御装置が着脱可能に取り付けられている。そして、前記設置部材４０における前記対向壁部４２の後面には、前記表示当接面４５の下方位置に基板設置部５０が設けられており、当該基板設置部５０に、後述する中継接続基板５１,５２が着脱可能に設置されている。なお、設置部材４０には、前記基板設置部５０を挟む左右両側にベース取付部４８が設けられており、当該左右のベース取付部４８に掛け渡すよう設けられた取付ベースに、前記メイン制御基板２００を基板ケースに収容したメイン制御装置(何れも図示せず)が着脱可能に取り付けられている。すなわち、基板設置部５０に設置された中継接続基板５１,５２の後方を取付ベースで覆うことで、設置部材４０の裏側のスペース効率を高めると共に中継接続基板５１,５２を保護するよう構成されている。なお、ベース取付部４８に取付ベースを取り付けた状態で、前記基板設置部５０と取付ベースとの間の空間が設置部材４０の下方に開口するよう構成されており、当該開口を介して中継接続基板５１,５２に対する配線接続を容易になし得るよう構成してある。
【００２８】
(基板設置部５０について)
図３、図４に示すように、前記基板設置部５０は、前記表示当接面４５の下側に、段部４６を介して連設されて表示当接面４５よりも前側に位置するよう設けられると共に、左右に並んで複数(実施例では２つ)の中継接続基板５１,５２を設置し得るよう構成されている。なお、基板設置部５０および中継接続基板５１,５２に関する以下の説明では、図４に示すように、遊技盤２０(設置部材４０)を裏側から見た状態を基準として左右を指称するものとする。すなわち、前記基板設置部５０の左右一方側(実施例では右側)に、前記メイン制御基板２００に対する配線を中継接続する第１中継接続基板５１が設置され、当該基板設置部５０の左右他方側(実施例では左側)に、前記演出制御基板２０１に対する配線を中継接続する第２中継接続基板５２が設置されている。ここでは、前記第１中継接続基板５１には、前記メイン制御基板２００からの配線が接続されると共に、特別入賞検出センサＳＥ３,ＳＥ４、普通入賞検出センサＳＥ５、ゲートセンサＳＥ６、始動入賞ソレノイドＳＬ１、特別入賞ソレノイドＳＬ２,ＳＬ３および不正検出センサＳＮ１〜ＳＮ３から配線が接続されている。また、前記第２中継接続基板５２には、前記演出制御基板２０１からの配線が接続されると共に、前記遊技盤２０に配設された各種演出装置からの配線が接続されている。
【００２９】
また、前記第１および第２中継接続基板５１,５２の夫々は、図３に示すように、対応の電気部品に繋がる配線のコネクタが接続されるコネクタ接続部６１,５２ｂが遊技盤２０の後方に向く面(以下、実装面５１ａ,５２ａという)に集中して実装されている。そして、前記第１中継接続基板５１は、コネクタ接続部６１の実装面５１ａを被覆部材８０で被覆すると共に当該実装面５１ａと反対側の面(以下、端子面５１ｂという)を基板設置部５０の設置面５０ａに向けた姿勢で、前記基板設置部５０の設置面５０ａに設けた保持手段５４,５５を介して所定の取付位置に着脱可能に取り付けられている。一方、前記第２中継接続基板５２は、コネクタ接続部５２ｂの実装面５２ａが露出すると共に当該実装面５２ａと反対側の面(以下、端子面５２ｂという)を基板設置部５０の設置面５０ａに向けた姿勢で、当該基板設置部５０の設置面５０ａに対して後方から直接ネジ止めすることで着脱可能に取り付けられている。なお、前記基板設置部５０の上縁部には、左右に離間する複数位置に配線保持片５３ａが設けられており、前記遊技盤２０に設けられた演出装置からの配線を各配線保持片５３ａに保持させるよう構成されている。すなわち、前記基板設置部５０の上縁部において前記段部４６に沿って延在する第１配線経路５３に這わせた前記演出装置からの配線を、当該基板設置部５０に対して着脱可能に配設される第１および第２中継接続基板５１,５２との間に挟み込むのを防止しつつ、前記第２中継接続基板５２に接続し得るよう構成されている。
【００３０】
(保持手段５４,５５について)
図３、図４に示すように、前記基板設置部５０における第１中継接続基板５１の設置面５０ａには、前記被覆部材８０(第１中継接続基板５１)を着脱可能に取り付けるための保持手段として、当該被覆部材８０の下端部に対して係脱可能に係合する係合受部(設置側係合部)５４と、被覆部材８０の上端部に対して係脱可能に係合する弾性係合部(係合部)５５とが設けられており、当該係合受部５４および弾性係合部５５が被覆部材８０の上下の端部に係合することで、当該設置面５０ａに被覆部材８０が当接した状態で保持されるよう構成されている。ここで、前記係合受部５４は、左右方向に離間する複数箇所(実施例では２箇所)に、前記設置面５０ａから後方に突出するよう設けられており、当該係合受部５４に、前記被覆部材８０の下端部に設けられた後述する係合突部(被覆側係合部)１００を上方から挿入可能な係合口５４ａが上方に開口するよう形成されている。すなわち、前記係合受部５４の係合口５４ａに、前記被覆部材８０(第１中継接続基板５１)に対応して設けられた係合突部１００を挿入することで、係合受部５４と係合突部１００とが当接(係合)して被覆部材８０の下端部の前後および左右への移動と下方への移動を規制するよう構成されている。なお、係合口５４ａに係合突部１００を挿入させた前記被覆部材８０は、前記弾性係合部５５との係合を解除したもとで上方へ移動させることにより、当該係合口５４ａから係合突部１００を抜き出し得るようになっている。
【００３１】
また、前記弾性係合部５５は、図４、図５に示すように、前記係合受部５４の形成位置から上方へ離間した位置から後方へ突出するよう形成されて上下方向に弾性変形可能な弾性支持部(支持部)５５ａと、当該弾性支持部５５ａの突出端部に設けられて下方へ突出する係合爪(係合突部)５５ｂとを備えている。すなわち、弾性支持部５５ａを上下弾性変形させることで、前記被覆部材８０の上端部(具体的には後述する係合凹部１０１)に前記係合爪５５ｂが係合して当該被覆部材８０の取付位置からの離脱を規制する係合位置と、該被覆部材８０(係合凹部１０１)から係合爪５５ｂが外れて取付位置からの被覆部材８０の離脱を許容する退避位置とに弾性係合部５５が変位するよう構成されている。なお、弾性係合部５５は、前記弾性支持部５５ａの弾性力により係合位置に復帰するよう付勢される。すなわち、前記弾性係合部５５の係合爪５５ｂを、前記被覆部材８０(第１中継接続基板５１)に設けられた係合凹部１０１の内側に突出させて係合させることで、被覆部材８０の上端部の前後および左右方向への移動を規制するよう構成されている。また、前記弾性係合部５５の係合爪５５ｂを前記被覆部材８０の係合凹部１０１に係合させた状態(係合位置の状態)で、前記弾性支持部５５ａの下面が被覆部材８０の上端面(後述する表カバー体９１の上面壁１１０)に当接するよう構成されており、被覆部材８０の上方への移動を規制するよう構成されている。なお、前記弾性係合部５５を退避位置に変位させることで、前記係合爪５５ｂとの係合が解除された被覆部材８０の上端部を設置面５０ａから離間するよう後方へ移動させ得るようになっている。
【００３２】
また、図３、図４に示すように、前記基板設置部５０における第１中継接続基板５１(被覆部材８０)の設置面５０ａには、左右に離間する位置に、後方へ突出する位置決め突片５６が形成されている。そして、前記保持手段５４,５５を介して基板設置部５０に被覆部材８０を取り付けた際に、当該被覆部材８０の左右の両外側面(左側面壁１１２および右側面壁１１３)に前記位置決め突片５６が当接して、当該被覆部材８０の左右方向への移動を規制するようになっている。すなわち、保持手段５４,５５により被覆部材８０を保持しつつ位置決め突片５６により位置規制することで、被覆部材８０(第１中継接続基板５１)を所定の取付位置に安定して取り付け得るようになっている。
【００３３】
(第１中継接続基板５１について)
次に、前記第１中継接続基板５１の実装面５１ａに設けられる各部品の配置構成に関して説明する。図６に示すように、前記第１中継接続基板５１(実装面５１ａ)には、前記第２中継接続基板５２と反対側に位置する右側縁部に、前記メイン制御基板２００からの配線のコネクタが接続されるコネクタ接続部６１が実装されている。ここで、前記メイン制御基板２００に繋がる配線や対応のコネクタ接続部６１は、メイン制御基板２００との間で送受信される信号に直接関わることから、第１中継接続基板５１に接続される配線の内でも比較的に不正行為のターゲットとなることが考えられる。このため、前記メイン制御基板２００からの配線のコネクタが接続されるコネクタ接続部６１を、前記第２中継接続基板５２と反対側に位置する第１中継接続基板５１の右側縁部に配置することで、当該配線やコネクタ接続部６１が第２中継接続基板５２に接続される配線等に紛れて視認性が低下するのを防止でき、不正行為の早期発見に寄与することが可能となる。
【００３４】
また、前記第１特別入賞部(特別入賞検出センサＳＥ３および特別入賞ソレノイドＳＬ２)からの配線のコネクタが接続されるコネクタ接続部６１、前記第２特別入賞部(特別入賞検出センサＳＥ４および特別入賞ソレノイドＳＬ３)からの配線のコネクタが接続されるコネクタ接続部６１、前記始動入賞ソレノイドＳＬ１からの配線のコネクタが接続されるコネクタ接続部６１、前記ゲートセンサＳＥ６からの配線のコネクタが接続されるコネクタ接続部６１の夫々は、前記第１中継接続基板５１(実装面５１ａ)の下縁部に沿って左右に離間する位置に実装されている。ここで、特図当り遊技や普図当り遊技の実行または判定に関わる各種センサやソレノイドからの配線やそのコネクタ接続部６１は、特別入賞部２９,３０へのパチンコ球の入賞や第２始動入賞部２８へのパチンコ球の入賞に大きく関わることから、第１中継接続基板５１に接続される配線の内でも比較的に不正行為のターゲットとなることが考えられる。このため、特図当り遊技や普図当り遊技の実行または判定に関わる各種センサやソレノイドからの配線やそのコネクタ接続部６１を、前記第１中継接続基板５１の下縁部に纏めて配置し、遊技盤２０の下部に臨ませるようにすることで、これらの配線やコネクタ接続部６１をターゲットとした不正行為の早期発見を図り得るようになっている。そして、前記普通入賞検出センサＳＥ５や不正検出センサＳＮ１〜ＳＮ３からの配線のコネクタが、第１中継接続基板５１(実装面５１ａ)において前記第２中継接続基板５２に対向する左側縁部および反対側の右縁部に沿って実装されている。
【００３５】
また、図６に示すように前記第１中継接続基板５１の実装面５１ａには、前記コネクタ接続部６１が実装される外周縁に沿った実装領域(以下、コネクタ実装領域)６５よりも基板中央側に、コネクタ接続部６１以外の電子部品６３ａ,６３ｂが実装される実装領域(以下、電子部品実装領域)６６が設けられている。そして、前記電子部品実装領域６６に、コネクタ接続部６１よりも高さ寸法の大きな電子部品６３ａ(例えばコンデンサやトランジスタ等)や、コネクタ接続部６１よりも高さ寸法の小さな電子部品６３ｂ(例えば抵抗器等)が実装されている。ここで、第１中継接続基板５１には、前述のように左右および下縁部の３辺に沿ってコネクタ接続部６１が実装されるコネクタ実装領域６５が設けられている。また、第１中継接続基板５１は、上端縁の左右両端部間に亘って、前記コネクタ接続部６１および電子部品６３ａ,６３ｂが何れも実装されない非実装領域６７が設けられている。なお、図６において、コネクタ実装領域６５と、電子部品実装領域６６と、非実装領域６７との境界位置を二点鎖線で示してある。
【００３６】
このように、実施例に係る第１中継接続基板５１には、外周縁に沿ってコネクタ実装領域６５および非実装領域６７が設けられると共に、コネクタ実装領域６５および非実装領域６７で囲まれた基板中央側の電子部品実装領域６６が設けられている。また、第１中継接続基板５１に実装された各コネクタ接続部６１は、配線のコネクタが装着される装着口６２を各コネクタ実装領域６５において実装面５１ａの外周端縁側へ向けた姿勢で配設され、コネクタ接続部６１に接続された配線を、前記基板設置部５０(基板設置面５０ａ)を沿って延在させ得るよう構成されている。なお、前記第１中継接続基板５１には、非実装領域６７における左右端部に前後に貫通する位置決め孔６４が夫々形成されており、前記被覆部材８０(具体的には、後述する裏カバー体８１)に突設された位置決め突部８４ａを当該位置決め孔６４に嵌合することで、第１中継接続基板５１を被覆部材８０に位置決めし得るようになっている。
【００３７】
(被覆部材８０について)
前記被覆部材８０は、図３、図４、図５、図７、図８に示すように、前記第１中継接続基板５１の実装面５１ａを被覆する表カバー体(第１カバー体)９１と、第１中継接続基板５１の端子面５１ｂを被覆する裏カバー体(第２カバー体)８１とを備え、当該表カバー体９１および裏カバー体８１に画成される収容空間８０ａ内に第１中継接続基板５１が収容保持されている。なお、前記表カバー体９１および裏カバー体８１の夫々は透明な合成樹脂材により形成されており、外側から内部(第１中継接続基板５１)を透視し得るようになっている。そして、前記実装面５１ａを被覆する前記表カバー体９１に開設されたコネクタ開口部(開口部)９０Ｌ,Ｒ,Ｕを介して、第１中継接続基板５１に設けられた各コネクタ接続部６１が被覆部材８０の外側に露出するようになっている。すなわち、前記表カバー体９１には、第１中継接続基板５１の右側縁部に設けられたコネクタ接続部６１が露出するコネクタ開口部９０Ｒと、第１中継接続基板５１の左側縁部に設けられたコネクタ接続部６１が露出するコネクタ開口部９０Ｌと、第１中継接続基板５１下縁部に設けられたコネクタ接続部６１が露出するコネクタ開口部９０Ｕとが開設されている。
【００３８】
(裏カバー体８１について)
前記裏カバー体８１は、図８に示すように、前記第１中継接続基板５１の端子面５１ｂに対向すると共に当該端子面５１ｂの外周形状と略合致する矩形板状に形成された底板部８２と、当該底板部８２の外周縁部から第１中継接続基板５１側に延出する外周壁部８３とを備えている。そして、前記裏カバー体８１と第１中継接続基板５１とを重ね合わせた際に、第１中継接続基板５１における端子面５１ｂ側の外周縁に外周壁部８３が当接して、当該端子面５１ｂが底板部８２に対して離間した位置で対向するようになっている。すなわち、第１中継接続基板５１において端子面５１ｂから突出する前記コネクタ接続部６１や電子部品６３ａ,６３ｂの端子部７０が、裏カバー体８１の底板部８２および外周壁部８３により囲まれて保護されている。また、前記底板部８２の隅部には、当該底板部８２から後方(前記第１中継接続基板５１側)に突出する第１支持壁８４が設けられており、等相第１支持壁８４に端子面５１ｂが当接するようになっている。すなわち、前記第１中継接続基板５１は、表カバー体９１および裏カバー体８１を組み合わせた際に、表カバー体９１の後述する被覆部９２(当接支持部９３)と、裏カバー体８１の外周壁部８３や第１支持壁８４との間に挟まれて保持されるようになっている。なお、前記第１支持壁８４の底板部８２からの突出高さは、当該底板部８２からの前記外周壁部８３の突出高さと一致するよう構成されて、前記裏カバー体８１と重ね合わせた第１中継接続基板５１の安定性を高めるように構成されている。
【００３９】
また、図８に示すように、前記裏カバー体８１において左上隅部および右上隅部に位置する前記第１支持壁８４には、後方へ突出する位置決め突部８４ａが形成されており、第１中継接続基板５１に形成された前記左右の位置決め孔６４に各位置決め突部８４ａが対応的に嵌合するようになっている。すなわち、前記裏カバー体８１の位置決め突部８４ａに前記第１中継接続基板５１の位置決め孔６４を嵌合することで、第１中継接続基板５１の外周縁が裏カバー体８１の外周縁(外周壁部８３の外面)と整合する位置に位置決めされるようになっている。
【００４０】
また、前記裏カバー体８１には、図８に示すように、下縁部における左右の中間位置に、前記底板部８２から後方(第１中継接続基板５１側)に突出する第２支持壁８５が設けられており、当該第２支持壁８５が前記端子面５１ｂの下縁部に当接して第１中継接続基板５１を支持するよう構成されている。ここで、前記第２支持壁８５の底板部８２からの突出高さは、前記第１支持壁８４および外周壁部８３の突出高さと一致するよう構成されている。すなわち、実施例の第１中継接続基板５１は、端子面５１ｂ側の上端部において左右両隅部が前記第１支持壁８４により当接支持されると共に、端子面５１ｂ側の下端部において左右両隅部が第１支持壁８４により当接支持され、左右の中間位置において第２支持壁８５により当接支持されることで裏カバー体８１に安定して支持されるようになっている。
【００４１】
また、前記裏カバー体８１には、図５、図８に示すように、前記第２支持壁８５の形成位置に、後方および下方へ開口する差し込み凹部８６が形成されると共に、当該裏カバー体８１の上端面を形成する前記外周壁部８３に上方へ突出する係合爪部８７が左右に離間する複数箇所(実施例では２箇所)に形成されている。そして、前記差し込み凹部８６の下方開口を介して前記表カバー体９１に形成された後述の係合板９７を下方から差し込んで係合させると共に、当該表カバー体９１に形成された後述の弾性係合片９９の係合孔９９ａに係合爪部８７が係合することで、当該表カバー体９１と裏カバー体８１とが組み付けられるようになっている。すなわち、前記差し込み凹部８６は、前記底板部８２から下側の外周壁部８３に亘って連続して開口するよう形成されている。
【００４２】
そして、図５、図８に示すように、前記第２支持壁８５には、前記差し込み凹部８６に開口するよう前後に貫通する逃し孔８８が形成されている。前記逃し孔８８には、前記裏カバー体８１と第１中継接続基板５１とを組み付けた際に、前記端子面５１ｂから突出する端子部７０を挿入し得るよう構成されている。すなわち、前記第１中継接続基板５１を支持する第２支持壁８５に逃し孔８８を形成することで、端子面５１ｂから端子部７０が突出する位置に第２支持壁８５を形成することが可能となり、第１中継接続基板５１の安定性を高めることができる。また、前記逃し孔８８が差し込み凹部８６に貫通することで、端子部７０が裏カバー体８１(第２支持壁８５)に接触するのを防止しており、第１中継接続基板５１の損槽を防いでいる。なお、前記逃し孔８８は、左右方向に離間して複数箇所(実施例では２箇所)に設けられている。また、前記差し込み凹部８６(第２支持壁８５)の下端部には、前方(基板設置部５０の設置面５０ａ側)に突出する支持突片８６ａが形成されている。そして、前記差し込み凹部８６に前記係合板９７を差し込んで契合させた際に、当該係合板９７の後面(第１中継接続基板５１側の面)に前記支持突片８６ａが当接するよう構成され、前記逃し孔８８に挿入された端子部７０に係合板９７が接触するのを規制するよう構成されている。
【００４３】
(表カバー体９１について)
図４、図５、図８に示すように、前記表カバー体９１は、前記第１中継接続基板５１の実装面５１ａを被覆すると共に前記電子部品６３ａ,６３ｂを収容する収容空間８０ａを画成する被覆部９２と、当該被覆部９２の外周縁から前方(基板設置部５０側)へ延出する外周壁部９６とから前方へ開口する箱状に形成されている。ここで、前記表カバー体９１の外周壁部９６の内周輪郭形状が前記裏カバー体８１(第１中継接続基板５１)の外周輪郭形状と略合致するよう構成されており、当該表カバー体９１の後方開口の内側に前記裏カバー体８１(第１中継接続基板５１)が嵌まり込むよう構成されている。すなわち、実施例の表カバー体９１の外周壁部９６が前記第１中継接続基板５１の外周端部の略全周に亘って対向して、当該第１中継接続基板５１の外周端部を被覆するよう構成されている。
【００４４】
ここで、図５、図７、図８に示すように、前記被覆部９２における上面側の壁部は、前記外周壁部９６における上面側の壁部と連続するよう構成されている。そこで、以下の説明では、表カバー体９１の上端面側の外側面を形成する壁部を上面壁１１０と指称し、表カバー体９１の下端面側の外側面を形成する壁部を下面壁１１１と指称し、表カバー体９１の左端面側の外側面を形成する壁部を左側面壁１１２と指称し、表カバー体９１の右端面側の外側面を形成する壁部を右側面壁１１３と指称して区別する場合がある。すなわち、実施例の表カバー体９１では、前記被覆部９２における上面側の壁部および外周壁部９６における上面側の壁部により前記上面壁１１０が形成され、外周壁部９６における下面側の壁部により前記下面壁１１１が形成され、外周壁部９６における左面側の壁部により前記左側面壁１１２が形成され、外周壁部９６における右面側の壁部により前記右側面壁１１３が形成されている。言い換えると、被覆部材８０(表カバー体９１)において係合凹部１０１が形成される上面壁１１０と、係合突部１００が形成される下面壁１１１とが第１中継接続基板５１を挟んで反対側の外側面を形成している。
【００４５】
そして、図８に示すように、前記表カバー体９１の上面壁１１０には、上下および前方(基板設置部５０の設置面５０ａ側)に開口する切欠部９８が形成されると共に、当該切欠部９８の形成位置に、上下方向に弾性変形可能な弾性係合片９９が形成されている。前記弾性係合片９９は、前記裏カバー体８１に形成された係合爪部８７の形成位置に合わせて左右に離間する複数箇所(実施例では２箇所)に設けられると共に、当該係合爪部８７が係合可能な係合孔９９ａが上下に貫通するよう各弾性係合片９９に開設されている。また、前記表カバー体９１の下面壁１１１には、前記裏カバー体８１の差し込み凹部８６と対応する位置に、当該差し込み凹部８６の下方開口を介して挿入される係合板９７が上方へ延出するよう形成されている。ここで、前記係合板９７の左右幅は、前記差し込み凹部８６の左右の開口幅と略合致すると共に、当該係合板９７の上方への延出長さは、差し込み凹部８６の上下の開口幅と略一致するよう形成されている。すなわち、前記差し込み凹部８６の下方開口を介して差し込まれた前記係合板９７により当該差し込み凹部８６の後方開口が塞がれるよう構成されて、前記逃し孔８８に挿入された第１中継接続基板５１の端子部７０を係合板９７で保護するようになっている。
【００４６】
すなわち、前記裏カバー体８１に第１中継接続基板５１を重ね合わせた状態で、当該裏カバー体８１の下端部に形成された差し込み凹部８６の下方開口を介して前記表カバー体９１の係合板９７を差し込むと共に、当該表裏のカバー体８１,９１の上端部を近接させて、前記係合爪部８７の当接に伴って弾性変形した弾性係合片９９の係合孔９９ａの形成位置まで当該係合爪部８７が到達することで、弾性係合片９９が弾性復帰して係合爪部８７が対応の係合孔９９ａに係合して、表裏のカバー体８１,９１が組み付けられるようになっている。このように、前記被覆部材８０は、前記第１中継接続基板５１の実装面５１ａおよび端子面５１ｂの全体を表カバー体９１および裏カバー体８１により被覆するよう構成され、第１中継接続基板５１を内包した被覆部材８０を前記基板設置部５０に取り付けることで、当該被覆部材８０と共に第１中継接続基板５１が基板設置部５０に着脱可能に配設されるようになっている。
【００４７】
また、前記被覆部９２は、図７、図８に示すように、前記第１中継接続基板５１の実装面５１ａに当接する当接支持部(第１対向面部)９３と、当該当接支持部９３から後方へ突出すると共に前方へ開口して前記収容空間８０ａを画成する収容箱部９４とから構成されている。すなわち、前記外周壁部９６で囲まれた内側に嵌合させた第１中継接続基板５１の実装面５１ａが当接支持部９３に当接することで、当該基板５１が表裏のカバー体８１,９１により挟持固定されるようになっている。ここで、前記被覆部９２は、前記第１中継接続基板５１におけるコネクタ実装領域６５に対向する位置に設けられており、前記実装面５１ａのコネクタ実装領域６５に当接支持部９３が当接するようになっている。すなわち、前記表カバー体９１の当接支持部９３は、第１中継接続基板５１における実装面５１ａ側の左右の側縁部および下縁部に当接するよう設けられると共に、当該左右の側縁部および下縁部に設けられたコネクタ接続部６１を外部に露出させ得るよう前記コネクタ開口部９０Ｌ,９０Ｒ,９０Ｕが当接支持部９３に前後に開口するよう形成されている。
【００４８】
前記収容箱部９４は、図５、図６、図８に示すように、前記第１中継接続基板５１の実装面５１ａにおける電子部品実装領域６６に対向する位置に設けられており、当該基板５１に実装された電子部品６３ａ,６３ｂが収容箱部９４の内側に臨んで収容保護されている。更に、前記収容箱部９４は、前記実装面５１ａにおける電子部品実装領域６６から非実装領域６７に亘って設けられており、当該収容箱部９４の上面を画成する壁部が前記外周壁部９６における上面側の壁部に連続して１つの壁部(上面壁１１０)を形成するようになっている。すなわち、前記表カバー体９１は、前記非実装領域６７が設けられた上端部において、前記電子部品実装領域６６に対向して実装面５１ａに対向する収容箱部９４の対向面部(第２対向面部)９４ａと、上面壁１１０とが連続するよう構成されている。そして、前記電子部品実装領域６６を被覆する前記収容箱部９４の対向面部９４ａが前記コネクタ実装領域６５に当接する当接支持部(第１対向面部)９３よりも第１中継接続基板５１から離間するよう位置している。すなわち、前記収容箱部９４の対向面部９４ａが表カバー体９１の後端面を形成している。
【００４９】
(係合突部１００について)
図５、図７、図８に示すように、前記表カバー体９１の下面壁１１１には、前記基板設置部５０に設けられた係合受部５４と係合する係合突部１００が形成されると共に、当該表カバー体９１の上面壁１１０には、基板設置部５０に設けられた前記弾性係合部５５を係合する係合凹部１０１が形成されている。すなわち、被覆部材８０(表カバー体９１)において係合凹部１０１が形成される上面壁１１０と、係合突部１００が形成される下面壁１１１とが第１中継接続基板５１を挟んで反対側の外側面を形成している。前記係合突部１００は、前記基板設置部５０に設けた左右の係合部５４の係合口５４ａに対応する位置に、前記下面壁１１１から下方へ向けて突出するよう設けられている。すなわち、前記被覆部材８０(第１中継接続基板５１)を基板設置部５０に取り付ける際に、前記各係合受部５４の係合口５４ａに、対応する係合突部１００を上側から差し込むことで、係合受部５４および係合突部１００を係脱可能に係合させ得るよう構成され、当該係合受部５４および係合突部１００の係合により被覆部材８０の下部位置における前後方向および左右方向移動が規制されるようになっている。
【００５０】
ここで、前記係合突部１００は、前記表カバー体９１(当接支持部９３)の下縁部に形成されたコネクタ開口部９０Ｕに対して、左右方向に外れた位置に設けられると共に、前記第１中継接続基板５１の実装面５１ａより前記基板設置部５０の設置面５０ａ側に位置するよう設けられている(図５参照)。すなわち、前記表カバー体９１の下縁部に形成されたコネクタ開口部９０Ｕに臨んだコネクタ接続部６１に接続される配線を、前記係合受部５４および係合突部１００の係合位置から離間させて、係合突部１００を係合受部５４の係合口５４ａに挿脱する際に配線を挟み込むのを防止している。
【００５１】
また、前記表カバー体９１(当接支持部９３)には、図４、図７、図８に示すように、当該表カバー体９１形成された各コネクタ開口部９０Ｌ,９０Ｒ,９０Ｕの開口縁に、当接支持部９３から後方へ突出する保護壁(壁部)１０５が形成されている。具体的に、前記表カバー体９１(当接支持部９３)の左右の側縁部に設けられたコネクタ開口部９０Ｒ,９０Ｌの上下の開口縁に保護壁１０５が形成されると共に、表カバー体９１(当接支持部９３)の下縁部に設けられたコネクタ開口部９０Ｕの左右の開口縁に保護壁１０５が形成されている。すなわち、各コネクタ開口部９０Ｌ,９０Ｒ,９０Ｕの開口縁に保護壁１０５を形成することで、各コネクタ開口部９０Ｌ,９０Ｒ,９０Ｕから露出するコネクタ接続部６１に対して他の部材が接触するのを防止すると共に、コネクタ接続部６１に接続された配線の延在方向を規制して、配線の挟み込み等を防止するようになっている。
【００５２】
ここで、前記表カバー体９１(当接支持部９３)の下縁部に設けられたコネクタ開口部９０Ｕの左右の開口縁に位置する保護壁１０５は、図４、図７に示すように、前記係合突部１００とコネクタ開口部９０Ｕとの間に位置するよう形成されている。すなわち、前記左側の係合突部１００に近接する前記コネクタ開口部９１ａの左側の開口縁から後方へ突出するよう保護壁１０５が形成されると共に、右側の係合突部１００に近接するコネクタ開口部９１ａの右側の開口縁から後方へ突出するよう保護壁１０５が形成されている。すなわち、前記表カバー体９１の下部に形成されたコネクタ開口部９０Ｕを介して露出するコネクタ接続部６１に接続される配線が、前記係合突部１００の形成位置へ移動するのを前記保護壁１０５により規制して、当該配線の挟み込みを防止するようになっている。
【００５３】
(係合凹部１０１について)
前記係合凹部１０１は、図３〜図５、図７、図８に示すように、前記表カバー体９１の上面壁１１０に凹設されて、前記基板設置部５０に設けられた前記弾性係合部５５の係合爪５５ｂと係脱可能に係合するようになっている。すなわち、前記被覆部材８０(表カバー体９１)において係合凹部１０１が形成された上面壁１１０が前記第１中継接続基板５１の非実装領域６７に対応した上端縁(外周端縁)に対向して被覆するよう構成されて、当該第１中継接続基板５１の実装面５１ａにおいて上面壁１１０により被覆される上端縁を除く別の外周端縁(すなわち左右端縁および下端縁)に沿うように前記コネクタ接続部６１が実装されている。
【００５４】
ここで、図５、図８に示すように、前記係合凹部１０１は、前記上面壁１１０から前記第１中継接続基板５１の実装面５１ａ(電子部品実装領域６６)に対向する前記収容箱部９４の対向面部９４ａに亘って連続して開口するよう形成されている。すなわち、前記係合凹部１０１は、後方を向くと共に前記係合爪５５ｂが係合する係合面１０１ａと、当該係合面１０１ａの左右両端部に連設されて左右に対向する対向内面(凹部内壁)１０１ｂとから形成されて、前記表カバー体９１の上方および後方に開口するよう構成されている。そして、前記上面壁１１０側の開口から前記係合凹部１０１の内側に臨んだ前記弾性係合部５５の係合爪５５ｂが前記係合面１０１ａに当接することで、表カバー体９１(被覆部材８０)の後方移動を規制するようになっている。すなわち、前記表カバー体９１(収容箱部９４)の対向面部９４ａよりも第１中継接続基板５１の実装面５１ａ側で弾性係合部５５が係合凹部１０１に係合するよう構成されている。従って、パチンコ機１０の製造やメンテナンス等に際して、前記表カバー体９１(対向面部９４ａ)に沿って滑らせるように各種配線が取り扱われた場合であっても、当該配線が弾性係合部５５(係合爪５５ｂ)と係合凹部１０１(係合面１０１ａ)との間に嵌まり込むことはない。
【００５５】
ここで、前記弾性係合部５５の係合爪５５ｂおよび前記係合凹部１０１の係合面１０１ａが係合する係合位置は、前記第１中継接続基板５１の実装面５１ａに対して前記コネクタ接続部６１の高さ寸法より後方に離間して位置するよう構成されている(図５参照)。すなわち、前記コネクタ接続部６１より後方位置で前記弾性係合部５５(係合爪５５ｂ)が係合凹部１０１(係合面１０１ａ)に係合するよう構成されており、当該コネクタ接続部６１に接続する配線が弾性係合部５５(係合爪５５ｂ)および係合凹部１０１(係合面１０１ａ)に挟み込まれるのを防止している、
【００５６】
また、図５に示すように、前記係合位置にある状態(係合凹部１０１に係合した状態)において、前記弾性係合部５５の後端部は、前記表カバー体９１の後端面を形成する前記収容箱部９４の対向面部９４ａよりも、前記基板設置部５０の設置面５０ａ側に位置するよう構成されて、当該弾性係合部５５が対向面部９４ａから後方へ突出しないよう形成されている。このため、パチンコ機１０の製造やメンテナンス等に際して、前記表カバー体９１(対向面部９４ａ)に沿って移動するように各種配線が取り扱われた場合であっても、当該配線が弾性係合部５５に引っ掛かることはなく、弾性係合部５５(係合爪５５ｂ)と係合凹部１０１(係合面１０１ａ)との係合状態が不意に解除されるのを防止している。
【００５７】
ここで、図４(b)に示すように、前記弾性係合部５５(係合爪５５ｂ)が係合凹部１０１(係合面１０１ａ)と係合した状態において、当該係合爪５５ｂを挟んで対向する対向内面１０１ｂの間隔Ｌ１は、前記弾性係合部５５における係合爪５５ｂの左右幅Ｌ２よりも僅かに幅広く形成され、前記係合凹部１０１に対する係合爪５５ｂの係脱を容易になし得るようになっている。また、前記係合爪５５ｂの左右の端部の夫々と、対向する左右の対向内面１０１ｂとの間の隙間は、前記第１中継接続基板５１の周りに取り回される配線(実施例では、第１中継接続基板５１に接続される配線や第１配線経路５３に挿通される配線)の太さよりも狭くなるよう設定されており、当該隙間に配線が挟み込まれるのを防止している。
【００５８】
また、前記被覆部材８０(表カバー体９１)には、図４、図７、図８に示すように、前記左側面壁１１２から側外方(第２中継接続基板５２の設置位置方向)に向けて突出する配線保持片１１５が形成されている。前記配線保持片１１５は、前記表カバー体９１(当接支持部９３)の左縁部に形成されたコネクタ開口部９０Ｌに対して、上下方向に離れた複数箇所(実施例では２箇所)に形成されており、当該コネクタ開口部９０Ｌに臨むコネクタ接続部６１に接続される配線を、配線保持片１１５の間に挿通し得るようになっている。また、前記配線保持片１１５の夫々は、前記左側面壁１１２における基板設置部５０側の端部(前端部)より後方に位置するよう設けられており、配線保持片１１５と基板設置部５０の設置面５０ａとの間に、配線を挿通可能な第２配線経路１１６が形成されるよう構成されている。すなわち、前記表カバー体９１(当接支持部９３)の左縁部に形成されたコネクタ開口部９０Ｌに臨むコネクタ接続部６１に接続される配線を、配線保持片１１５の間から前記第２配線経路１１６に挿通させ得るよう構成され、当該配線を保護するようになっている。また、前記第２中継接続基板５２に隣接したコネクタ開口部９０Ｌに臨むコネクタ接続部６１に接続される配線を、整然と取り回すことができるから、当該配線やコネクタ接続部６１の視認性が高まり、不正行為の早期発見に寄与することが可能となる。
【００５９】
また、図５に示すように、前記被覆部材８０(表カバー体９１)には、前記コネクタ開口部９０Ｌ,９０Ｒ,９０Ｕの後端位置に、前記収容箱部９４における収容空間８０ａを画成する外周壁部９４ｂから外方へ突出する外側規制壁１０７が形成されている。前記外側規制壁１０７は、前記コネクタ接続部６１における電子部品実装領域６６側の端部を覆うよう形成されており、コネクタ開口部９０Ｌ,９０Ｒ,９０Ｕを介して収容空間８０ａの内部に異物が進入するのを規制するようになっている。また、前記被覆部材８０(表カバー体９１)には、前記収容空間８０ａの内部においてコネクタ実装領域６５と電子部品実装領域６６の境界位置に、内側規制壁１０８が形成されている。前記内側規制壁１０８は、前記コネクタ接続部６１における電子部品実装領域６６側の端部に対向するよう前記収容箱部９４の外周壁部９４ｂに連設してもうけられており、コネクタ開口部９０Ｌ,９０Ｒ,９０Ｕを介して収容空間８０ａの内部における電子部品実装領域６６側への異物進入を規制するようになっている。ここで、前記メイン制御基板２００に接続する配線が接続されるコネクタ接続部６１に対向する内側規制壁１０８の下端部は、他の電気部品ＳＥ３〜ＳＥ６、ＳＬ１〜ＳＬ３,ＳＮ１〜ＳＮ３に接続する配線が接続されるコネクタ接続部６１に対向する内側規制壁１０８よりも前記第１中継接続基板５１の実装面５１ａに近接するよう構成されて、メイン制御基板２００に接続する配線が接続されるコネクタ接続部６１や、当該コネクタ接続部６１の実装位置に対する不正行為を防止するようになっている。
【００６０】
(実施例の作用)
次に、前述のように構成された実施例に係るパチンコ機１０の作用につき説明する。
【００６１】
実施例のパチンコ機１０では、メイン制御基板２００に接続する第１中継接続基板５１の実装面５１ａを被覆部材８０(表カバー体９１)で透視可能に保護するようにしたことで、当該第１中継接続基板５１に対する不正行為を効果的に防止できる。すなわち、コネクタ接続部６１を除く第１中継接続基板５１全体を被覆部材８０で被覆することができるから、第１中継接続基板５１に対する外部からの不正なアクセスを防止し得る。また、被覆部材８０(表カバー体９１および裏カバー体８１)を透明な合成樹脂材により形成し、外側から内部を透視し得るようにしたことで、当該被覆部材８０を基板設置部５０から取り外すだけで第１中継接続基板５１の実装面５１ａおよび端子面５１ｂの夫々を目視により容易に確認できる。
【００６２】
また、前記第１中継接続基板５１を被覆する被覆部材８０の下部に形成された係合突部１００を、基板設置部５０に設けられた係合受部５４の係合口５４ａに上方から差し込むと共に、当該基板設置部５０に設けられた弾性係合部５５の係合爪５５ｂを、被覆部材８０の上部に形成された係合凹部１０１に係合することで、当該被覆部材８０と共に第１中継接続基板５１を基板設置部５０に着脱可能に取り付けることができる。また、前記弾性係合部５５を退避位置に弾性変形させて係合爪５５ｂと係合凹部１０１との係合を解除した状態で、当該被覆部材８０の上部を後方へ引き出すことで、係合受部５４の係合口５４ａから係合突部１００が抜き出されて、当該被覆部材８０と共に第１中継接続基板５１を取り外すことができる。このとき、ネジ等の固定部材を用いないようにしてあるから、被覆部材８０(第１中継接続基板５１)の作業を容易に行い得る利点がある。
【００６３】
ここで、前記第１中継接続基板５１の上端縁を被覆する被覆部材８０(表カバー体９１)の上面壁１１０に前記係合凹部１０１を形成して、被覆部材８０(表カバー体９１)の後端面を形成する対向面部９４ａより第１中継接続基板５１の実装面５１ａ側で前記弾性係合部５５の係合爪５５ｂが係合凹部１０１の係合面１０１ａに係合するよう構成してあるから、第１中継接続基板５１の周囲に取り回される配線が弾性係合部５５(係合爪５５ｂ)と係合凹部１０１(係合面１０１ａ)との間に挟み込まれるのを効果的に防止することができる。このため、配線の挟み込みに伴う断線や係合不良を防止でき、被覆部材８０(第１中継接続基板５１)の脱落等の不具合を防止し得る。また、第１中継接続基板５１を介して各種センサＳＥ３〜ＳＥ６,ＳＮ１〜ＳＮ３やソレノイドＳＬ１〜ＳＬ３をメイン制御基板２００に対して電気的に接続することで、当該メイン制御基板２００を小型化できる利点がある。
【００６４】
また、前記係合凹部１０１は、当該係合凹部１０１が形成された被覆部材８０(表カバー体９１)の上面壁１１０から実装面５１ａに対向する対向面部９４ａに亘って連続して開口するよう形成されているから、被覆部材８０(第１中継接続基板５１)を基板設置部５０から取り外す際には、被覆部９２(表カバー体９１)の対向面部９４ａ側の開口する係合凹部１０１を介して弾性係合部５５の弾性支持部５５ａに手指を容易に掛けることができ、当該弾性係合部５５を係合位置から退避位置に変位させるよう容易に操作し得る。すなわち、被覆部材８０(表カバー体９１)の後端面を形成する対向面部９４ａより第１中継接続基板５１の実装面５１ａ側で前記弾性係合部５５の係合爪５５ｂが係合凹部１０１の係合面１０１ａに係合するよう構成しても、弾性係合部５５の操作性が損なわれることはなく、被覆部材８０(第１中継接続基板５１)を簡単に着脱することができる。
【００６５】
また、前記被覆部材８０(表カバー体９１)において第１中継接続基板５１の非実装領域６７の上端縁を被覆する上面壁１１０に前記係合凹部１０１を形成し、当該第１中継接続基板５１の実装面５１ａにおいて上面壁１１０により被覆される上端縁を除く別の外周端縁(すなわち左右端縁および下端縁)に沿うように前記コネクタ接続部６１を実装したことで、当該係合凹部１０１に係合する弾性係合部５５がコネクタ接続部６１に対する配線の接続作業の作業性を損なうことはない。また、前記上面壁１１０を非実装領域６７に対応して設けることで、第１中継接続基板５１のコネクタ接続部６１に接続される配線を弾性係合部５５および係合凹部１０１の係合位置から離すことができるから、当該コネクタ接続部６１に接続する配線が弾性係合部５５に引っ掛かり難くすることができ、断線や係合不良の発生を防ぐことができる。
【００６６】
また、前記被覆部材８０(表カバー体９１)の上面壁１１０を非実装領域６７に対応して設けることで、前記弾性係合部５５の弾性支持部５５ａを上面壁１１０に当接させることができ、被覆部材８０の安定性を高めることができる。そして、基板設置部５０において第１中継接続基板５１の取付位置が弾性係合部５５に近接することで、基板設置部５０の省スペース化を図ることができる。更に、前記上面壁１１０を非実装領域６７に対応させることで、係合位置および退避位置に弾性変形させ得る程度まで弾性係合部５５の形成位置を第１配線経路５３に近づけることができる。
【００６７】
また、前記被覆部材８０(表カバー体９１)は、前記第１中継接続基板５１における実装面５１ａの外周縁部に位置するコネクタ実装領域６５を被覆する当接支持部９３にコネクタ開口部９０Ｌ,９０Ｒ,９０Ｕを開設すると共に、当該コネクタ実装領域６５よりも基板中央側に設けられた電子部品実装領域６６収容箱部９４で被覆するよう構成されているから、当該被覆部材８０や第１中継接続基板５１を極力小型化することができる。また、第１中継接続基板５１には、前記非実装領域６７が形成される上端縁を除く実装面５１ａの３辺(左右の側縁および下端縁)にコネクタ実装領域６５を設けるようにしたことで、当該基板におけるコネクタ接続部６１の配設位置を分散させて小型化することができ、当該第１中継接続基板５１を設置するための基板設置部５０を省スペース化し得る。このとき、接続される電気部品(メイン制御基板２００や特図当り遊技や普図当り遊技の実行または判定に関わる各種センサやソレノイド等)に合わせて、第１中継接続基板５１の実装面５１ａにコネクタ接続部６１を配置することで、基板５１の小型化を図りつつ、不正行為を早期に発見することが可能となる。
【００６８】
また、前記収容箱部９４により非実装領域６７を被覆するよう構成して、前記被覆部材８０(表カバー体９１)の上面壁１１０から第１中継接続基板５１の実装面に対向する対向面部９４ａに亘って前記係合凹部１０１が連続して開口するよう形成することにより、当該対向面部９４ａより実装面５１ａ側で、かつ実装面５１ａに対してコネクタ接続部６１の高さ寸法より離間した位置で弾性係合部５５の係合爪５５ｂを係合凹部１０１の係合面１０１ａに係合させることができる。すなわち、第１中継接続基板５１の実装面５１ａから離間する被覆部材８０の対向面部９４ａを利用して係合凹部１０１を形成することにより、弾性係合部５５と係合凹部１０１との係合位置を基板設置部５０から離間させることができるから、第１中継接続基板５１の周囲に取り回される配線が当該弾性係合部５５と係合凹部１０１との間に挟み込まれるのを防ぐことができ、配線の断線や係合不良による被覆部材８０(第１中継接続基板５１)の脱落等の不具合を防止できる。また、電子部品実装領域６６を被覆する収容箱部９４の対向面部９４ａで係合凹部１０１が開口するようにすることで、前記弾性係合部５５の突出端部(後端部)を、前記被覆部材８０の対向面部９４ａより第１中継接続基板５１側(基板設置部５０側)に位置させることができるから、パチンコ機１０の製造やメンテナンス等に際して、被覆部材８０(表カバー体９１)の後端面(対向面部９４ａ)に沿って滑らせるように各種配線が取り扱われた場合であっても、当該配線が弾性係合部５５(係合爪５５ｂ)と係合凹部１０１(係合面１０１ａ)との間に嵌まり込んだり、弾性係合部５５に引っ掛かるのを防止できるから、弾性係合部５５(係合爪５５ｂ)と係合凹部１０１(係合面１０１ａ)との係合状態を安定して保持することができる。
【００６９】
また、前記係合突部１００は、前記被覆部材８０において前記係合凹部１０１が形成された上面壁１１０に対して第１中継接続基板５１を挟んで反対側に位置する下面壁１１１に、前記第１中継接続基板５１の実装面５１ａより基板設置部５０の設置面５０ａ側に位置すると共にコネクタ開口部９０Ｕから左右に外れた位置に設けられている。このため、被覆部材８０(第１中継接続基板５１)を基板設置部５０に取り付け時に、配線を挟み込んだ状態で前記係合受部５４の係合口５４ａに前記係合突部１００が差し込まれるのを防止できる。このため、基板設置部５０の係合受部５４と、被覆部材８０の係合突部１００との係合に伴う配線の挟み込みにより配線が断線したり、当該係合受部５４と係合突部１００との係合が意図せずに解除されて係合不良による被覆部材８０(第１中継接続基板５１)の脱落等の不具合を防止できる。
【００７０】
ここで、第１中継接続基板５１に実装された各コネクタ接続部６１の装着口６２を実装面５１ａの外周端縁側へ向けた姿勢で配設することで、当該装着口６２を実装面５１ａの後方へ向けた姿勢で配設する場合に比べて、第１中継接続基板５１に対する配線接続に必要な前後のスペースを省略可能となる一方で、当該コネクタ接続部６１に接続された配線が第１中継接続基板５１を固定する手段に挟み込まれる可能性が高まる。そこで、前述のように、前記第１中継接続基板５１の実装面５１ａより基板設置部５０の設置面５０ａ側に位置すると共にコネクタ開口部９０Ｕから左右に外れた位置に係合突部１００を形成することで、係合突部１００と係合受部５４との間に配線が挟まれるのを効果的に防止できるから、第１中継接続基板５１に対する配線接続に必要な前後のスペースを省略することができ、他の遊技部品の取付スペースを拡大することができる。
【００７１】
更に、前記被覆部材８０(表カバー体９１)には、前記コネクタ開口部９０Ｌ,９０Ｒ,９０Ｕの開口縁に保護壁１０５を形成するようにしてあるから、装着口６２を実装面５１ａの外周端縁側へ向けた姿勢で配線されたコネクタ接続部６１に接続された配線が前記係合突部１００および係合受部５４との係合位置に向くのを規制することができるから、配線の断線や係合不良等の発生をより効果的に防ぐことができる。すなわち、係合突部１００および係合受部５４の係合位置と、コネクタ開口部９０Ｕを介して被覆部材８０(表カバー体９１)の外側に臨むコネクタ接続部６１に接続された配線の取り回し位置とを保護壁１０５により区画することができ、係合突部１００および係合受部５４の間に配線が挟み込まれるのを防止することができる。また、コネクタ開口部９０Ｌ,９０Ｒ,９０Ｕの開口縁に保護壁１０５を形成することで、当該コネクタ開口部９０Ｌ,９０Ｒ,９０Ｕに臨むコネクタ接続部６１に対して配線が引っ掛かったり、他の構成部品が接触したりするのを防止できる。
【００７２】
また、前記被覆部材８０は、表カバー体９１の後方開口に裏カバー体８１および第１中継接続基板５１の夫々が嵌まり込むよう構成してあるから、被覆部材８０の前後寸法を極力抑制することができる。また、前記第１中継接続基板５１における端子面５１ｂから突出する端子部７０を、裏カバー体８１に形成された逃し孔８８に挿通され得ようにすることで、裏カバー体８１の外形形状を第１中継接続基板５１の外形形状と一致させて重ね合わせた場合に端子部７０が裏カバー体８１に接触するのを防ぐことができる。これにより、被覆部材８０を極力小型化することが可能となる。また、前記逃し孔８８が開口する差し込み凹部８６を、表カバー体９１に設けた係合板９７で塞ぐようにしたことで、当該端子部７０に対する不正を防止できる。
【００７３】
(変更例)
なお、本発明に係る遊技機の構成としては、前述した実施例に示したものに限らず、種々の変更が可能である。
【００７４】
(１)  実施例では、メイン制御基板に接続する第１中継接続基板を被覆部材により被覆するよう構成したが、演出制御基板に接続する第２中継接続基板を被覆部材により被覆するよう構成してもよい。
(２)  実施例では、設置部材の後面側(遊技盤の後面側)に設けた基板設置部に接続基板を配設するよう構成したが、基板設置部は設置部材の後面側に限らず、設置部材の前面側や、遊技盤とは異なる部材(前枠や中枠、外枠等)に設けてもよい。
(３)  実施例では、接続基板の実装面および端子面を被覆部材で被覆した状態で基板設置部に配設するよう構成したが、被覆部材により接続基板の実装面のみを被覆した状態で当該接続基板を基板設置部に配設してもよい。すなわち、被覆部材を表カバー体のみで構成し、当該表カバー体に接続基板を固定するようにしてもよい。
(４)  実施例では、接続基板を被覆部材と共に基板設置部に取り付けるよう構成したが、被覆部材および接続基板を相互に組み付けることなく別個に基板設置部に固定するよう構成してもよい。
(５)  実施例では、係合凹部に係合された係合部(弾性係合部)の全体が被覆部材の対向面部より基板設置部側に位置するよう構成したが、係合凹部と係合部との係合位置(係合爪と係合面との係合位置)が対向面部より基板設置部側に位置するよう構成すれば、接続基板に係合部を直接係合させる場合と比較して配線が係合部に引っ掛かり難い構成を実現することができる。
(６)  実施例では、接続基板の外周端縁を被覆する外周壁部を、接続基板の実装面を被覆する第１カバー体(表カバー体)の外周縁部から接続基板側へ延出するよう設けたが、接続基板の実装面と反対側の面(端子面)を被覆する第２カバー体(裏カバー体)の外周縁部から接続基板側へ延出するよう設けてもよい。
(７)  実施例では、接続基板におけるコネクタ接続部が設けられていない外周縁部を被覆する被覆部材の外周端縁に係合凹部を設けたが、接続基板におけるコネクタ接続部が配設された外周縁部を被覆する被覆部材の外周端縁に係合凹部を設けてもよい。
(８)  実施例では、被覆部材における実装面を被覆する対向板部の上縁部に係合凹部を設けたが、係合凹部は対向板部の下縁部、左縁部または右縁部に形成してもよい。
(９)  実施例では、被覆部材の係合凹部を係合する係合部を、基板設置部に設けた弾性係合片の延出端部に設け、弾性係合片の弾性変形により係合爪が係合位置および退避位置に変位し得るよう構成したが、基板設置部の設置面と平行にスライド移動するスライド部材に係合爪を設け、スライド部材のスライド移動により係合爪が係合位置および退避位置に変位し得るよう構成してもよい。
(１０)  実施例では、パチンコ球を遊技媒体として遊技が行われるパチンコ機を例示して説明したが、これに限られるものではなく、アレンジボール機やピンボール機、スロットマシン機(回胴式遊技機)等の各種遊技機を採用し得る。
例えば、スロットマシン機(回胴式遊技機)は、前方へ開口する箱状の筐体に、当該筐体の前方開口を塞ぐ前扉が開閉可能にヒンジ接続され、図柄が配列された複数のリール(回転体)が前側から視認し得るように筐体内部に配設されている。そして、遊技者が所定の開始操作手段(スタートレバー)の操作を行うことを契機にリール(回転体)が回転して図柄が変動開始すると共に、変動ゲームの当否に関連した当否判定を行い、所定の停止操作手段(ストップボタン)の操作を契機に、当否判定に基づく図柄停止制御を実行し、停止した図柄の組合せによって遊技利益が付与される制御される遊技機である。このようなスロットマシン機において、前記筐体や前扉に直接または間接的に基板設置部を設けて、電気部品に繋がる配線のコネクタが接続されるコネクタ接続部が実装された接続基板を、当該基板設置部に着脱可能に配設する構成に対して採用することができる。
【符号の説明】
【００７５】
５０  基板設置部
５１  第１中継接続基板(接続基板)
５１ａ  実装面
５５  弾性係合部(係合部)
５５ａ  弾性係支持部(支持部)
５５ｂ  係合爪(係止突起)
６１  コネクタ接続部
６３ａ  コネクタ接続部より高さ寸法のある電子部品
６５  コネクタ実装領域(コネクタ接続部の実装領域)
６６  電子部品実装領域(コネクタ接続部より高さ寸法のある電子部品の実装領域)
８０  被覆部材
９０Ｌ  コネクタ開口部
９０Ｒ  コネクタ開口部
９０Ｕ  コネクタ開口部
９３  当接支持部(対向面部、第１対向面部)
９４ａ  対向面部(対向面部、第２対向面部)
１０１  係合凹部
１１０  上面壁(接続基板の外周端縁側に位置する外側面)
２００  メイン制御基板(電気部品)
ＳＥ３  第１特別入賞検出センサ(電気部品)
ＳＥ４  第２特別入賞検出センサ(電気部品)
ＳＥ５  普通入賞検出センサ(電気部品)
ＳＥ６  ゲートセンサ(電気部品)
ＳＬ１  始動入賞ソレノイド(電気部品)
ＳＬ２  第１特別入賞ソレノイド(電気部品)
ＳＬ３  第２特別入賞ソレノイド(電気部品)
ＳＮ１  電波センサ(電気部品)
ＳＮ２  磁気センサ(電気部品)
ＳＮ３  振動センサ(電気部品)
【図１】
0006284846.tif 000002
【図２】
0006284846.tif 000003
【図３】
0006284846.tif 000004
【図４】
0006284846.tif 000005
【図５】
0006284846.tif 000006
【図６】
0006284846.tif 000007
【図７】
0006284846.tif 000008
【図８】
0006284846.tif 000009